(57)【要約】【課題】従来のエスカレーター装置、動く歩道装置、及びエレベーター装置での情報提示は、エスカレーター装置の手すり部分、動く歩道装置の手すり部分、及びエレベーター装置の扉部分に情報の表示されたシールなどを貼り付けることで行われていた。しかしながら、情報の更新には、新たなシールを必要し、それを新たに貼り付けるという煩雑な作業と時間を要していた。【解決手段】エスカレーター装置４の手すり部分１に、電源を切っても表示が保持される電子ペーパー２を付加し、印字装置３により電子ペーパー１上の情報を適時消去、書き込みを行う。【選択図】図１
2005206370.tif 000002
【特許請求の範囲】
【請求項１】
手すり部分に電源を切っても表示が保持される電子ペーパーを有し、印字装置により電子ペーパーに印字することで情報の提示を可能にしたことを特徴とするエスカレーター装置、及び、動く歩道装置。
【請求項２】
扉部分に電源を切っても表示が保持される電子ペーパーを有し、印字装置により電子ペーパーに印字することで情報の提示を可能にしたことを特徴とするエレベーター装置。
【請求項３】
前記、電子ペーパーは、非観察面側に共通電極を有することを特徴とする請求項１、２記載のエスカレーター装置、動く歩道装置、及びエレベーター装置。
【請求項４】
前記、電子ペーパーは、電子ペーパー上の同一印字ドットに対し、手すり、扉の移動速度と同期する複数の書き込みヘッドを有す印字装置により印字が行われることを特徴とする請求項１，２記載のエスカレーター装置、動く歩道装置及びエレベーター装置。
【請求項５】
前記、電子ペーパーは、消去専用のヘッドにより、印字前に初期化される事を特徴とする請求項１、２記載のエスカレーター装置、動く歩道装置、及びエレベーター装置。
【発明の詳細な説明】
【技術分野】
【０００１】  本発明は、電源を切られても表示を保持する電子ペーパーによる情報提示機能を有するエスカレーター装置、動く歩道装置及びエレベーター装置に関する。
【背景技術】
【０００２】  従来のエスカレーター装置、動く歩道装置、及びエレベーター装置での情報提示においては、図８に示すように、エスカレーター装置３の手すり部分２、動く歩道装置１２の手すり部分１５、及びエレベーター装置１３の扉部分５に、情報の表示されたシール１４などを貼り付けることで行われていた。
【発明の開示】
【発明が解決しようとする課題】
【０００３】しかしながら、以上の技術によれば、情報の更新は、新たにシールを印刷し、既存のシールを剥がした上で、新しいシールを貼るという手段で行われていた。ところが、これらの手段の実行には、装置を一時停止させる煩雑な作業と時間を要し、情報の更新を即時に行うことが出来ないといった問題を生じていた。
そこで、この発明は、情報の提示を簡便かつ即時に、装置を停止させずに行う事のできる装置を提供することを課題とする。
【課題を解決するための手段】
【０００４】  以上の課題を解決するために、第一発明は、手すり部分に電源を切っても表示が保持される電子ペーパーを有し、印字装置により電子ペーパーに印字が行われる事で情報の提示を可能にしたことを特徴とするエスカレーター装置、及び、動く歩道装置である。【０００５】  また、第二発明は、扉部分に電源を切っても表示が保持される電子ペーパーが付加され、印字装置により電子ペーパーに印字が行われる事で情報の提示を可能にしたことを特徴とするエレベーター装置である。
また、第三発明は、非観察面側に共通電極を有する電子ペーパーを用いることを特徴とするエスカレーター装置、動く歩道装置、及びエレベーター装置である。【０００６】  また、第四発明は、電子ペーパーは、電子ペーパー上の同一ドットに対し、手すり、扉の移動速度と同期する複数の書き込みヘッドを持つ印字装置により印字が行われることを特徴とするエスカレーター装置、動く歩道装置及びエレベーター装置である。【０００７】  また、第五発明は、電子ペーパーは、消去専用のヘッドにより、印字前に初期化される事を特徴とするエスカレーター装置、動く歩道装置、及びエレベーター装置である。
【発明の効果】
【０００８】  第一発明によれば、手すり部分に電源を切っても表示が保持される電子ペーパーが付加され、手すりの移動に合わせて印字装置により電子ペーパーに情報が適時消去、印字され、情報の更新が簡便かつ迅速に行われる。【０００９】  第二発明によれば、扉部分に電源を切っても表示が保持される電子ペーパーが付加され、扉の開閉移動に合わせて印字装置により電子ペーパーに情報が適時消去、印字され、情報の更新が簡便かつ迅速に行われる。【００１０】  第三発明によれば、非観察面側に共通電極を有する構造を可能とし、共通電極に高価な、かつ透明な電極を必要としない。
第四発明によれば、エスカレーター装置、動く歩道装置及びエレベーター装置の手すり、扉の移動速度に対し、電子ペーパーの印字に必要な時間を累計として得る事ができる。【００１１】  第五発明によれば、専用の消去ヘッドにより位置合わせを必要とせずに電子ペーパー上の印字情報の初期化が可能となる。さらに消去専用ヘッドを設ける事により、印字時とは異なる条件での電磁場の印可が可能になり、短時間で消去する事ができる。
【発明を実施するための最良の形態】
【００１２】  第一発明の一実施形態を、図１に示す。
エスカレーター装置の手すり２に、電子ペーパー１が付加されている。印字装置４は、エスカレーター装置手すり２の復路部分に付加されている。【００１３】  第二発明の実施形態を、図２に示す。
エレベーター装置扉５に電子ペーパー１が付加されている。印字装置４は、扉戸袋６内に設置されている。【００１４】  第三発明の実施形態を、図３に示す。
エスカレーター装置の手すり２などに接する側（非観察面）に、共通電極１６が配置され、電子ペーパーの他の構造部分７が観察面側に配置されている。【００１５】  第四発明の実施形態を、図４に示す。
電子ペーパー１の移動方向に、印字装置４では、電子ペーパー１上の同一印字ドット８に対応する複数の印字ヘッド９、９ａ、９ｂが配置されている。【００１６】  第五発明の実施形態を、図５に示す。
電子ペーパー１の通過部分に設置された印字装置４の印字用ヘッド９の直前に、消去用ヘッド１０が配置されている。【００１７】「実施形態の効果」
この第一発明の実施形態によれば、印字装置４により、電子ペーパー１上に印字された情報は、エスカレーター装置３の手すり２の移動と共に、人の目に触れる往路側に出現する。エスカレーター装置３の移動と共に手すり２は折り返し、復路（回帰）部分で、再度、印字装置４により消去、印字が行われ情報の更新が行われる。【００１８】  第二発明の実施形態によれば、エレベーター装置の扉５の開閉により、その扉５の上に設置されている電子＿パー１も共に、戸袋部分６に引き込まれる、もしくは戸袋部分６より出される。その際に、戸袋部分６内に設置されている印字装置４により、情報の消去、印字が行われ、情報の更新が行われる。【００１９】  第三発明の実施形態によれば、電子ペーパーの共通電極１６は非観察面側であるエスカレーター装置の手すり２に設置されている。これにより、従来観察面側で使われていた、酸化インジウム薄膜などによる透明な共通電極を使用する必要がなくなる。これにより安価な金属薄膜（ステンレスなど）を電極材料として使用出来る。【００２０】  第四発明の実施形態によれば、電子ペーパー１の移動方向に、電子ペーパー１上の同一ドット８に対応する、複数の印字ヘッド９、９ａ、９ｂがあり、電子ペーパー１の移動速度と同期し、この複数の印字ヘッド９，９ａ、９ｂが順次、電子ペーパー１上の同一ドット８に書き込みを行う。電子ペーパー１への情報書き込みに要する時間が、電子ペーパー１の移動速度による印字ヘッド上の通過時間と比較して長い場合、書き込み要する時間分の印字ヘッド９を並べる事で、書き込みを行う。【００２１】第五発明の実施形態によれば、印字装置４の直前に消去ヘッド１０が設置されている。この消去ヘッド１０が一括に電磁場を電子ペーパー１に印可する事により、電子ペーパー１上の印字情報の一括消去が可能になる。さらに、印字ヘッド９と独立して消去ヘッド１０を設置する事で、印字ヘッド９での書き込み条件とは異なる、消去独自の条件での消去が可能になる。更に、印字装置４の印字ヘッド９で消去、書き込みを同時に行うためには、電子ペーパー１上の印字ドットと印字ヘッド９との正確な位置合わせが必要となるが、この実施形態では、位置合わせが不要となる。【００２２】「他の実施形態」
図１の実施形態では、電子ペーパー１はエスカレーター装置の片側の手すり２に設置されていた、他の実施形態では、電子ペーパーを両側の手すりに設けたものでも良い。【００２３】  図２の実施形態では、電子ペーパー１は、エレベーター装置の外部扉に設置されていた、他の実施形態では、図６のように電子ペーパー１をエレベーター装置の箱内部１１の扉５に設置した物でも良い。
図５の実施形態では、一括の消去ヘッド１０が設置されていた、他の実施形態では、図７のように千鳥に配置された消去ヘッド１７を使用してもよい。また、印字装置４と一体化させることもできる。
【図面の簡単な説明】
【００２４】
【図１】第一発明の一実施形態を示す斜視図である。
【図２】第二発明の一実施形態を示す正面図である。
【図３】第三発明の一実施形態を示す断面図である。
【図４】第四発明の一実施形態を示す斜視図である。
【図５】第五発明の一実施形態を示す斜視図である。
【図６】第二発明の他の実施形態を示す斜視図である。
【図７】第五発明の他の実施形態を示す斜視図である。
【図８】従来技術を示す斜視図である。
【符号の説明】
【００２５】１．  電子ペーパー
２．  エスカレーター装置手すり
３．  エスカレーター装置
４．  印字装置
５．  エレベーター装置扉部分
６．  エレベーター装置戸袋
７．  電子ペーパーの共通電極を除く構造部分
８．  電子ペーパー上の印字ドット
９．  印字装置の印字ヘッド
１０．消去ヘッド
１１．エレベーター装置箱内部
１２．動く歩道装置
１３．エレベーター装置
１４．情報の表示されたシール
１５．動く歩道装置手すり
１６．電子ペーパーの共通電極
１７．千鳥に配置された消去ヘッド
【図１】
2005206370.tif 000003
【図２】
2005206370.tif 000004
【図３】
2005206370.tif 000005
【図４】
2005206370.tif 000006
【図５】
2005206370.tif 000007
【図６】
2005206370.tif 000008
【図７】
2005206370.tif 000009
【図８】
2005206370.tif 000010